(57)【要約】【課題】磁気テープに対する傷付きを防止し得る情報記録媒体を提供する。【解決手段】磁気テープＴを巻回するテープリール２，２を回転可能に収容すると共に磁気テープＴの引き出し口３ａがその前面側に形成されたケース本体と、磁気テープＴよりもケース本体の天面側においてテープリール２に対して接離する方向に沿ってスライドさせられることによってテープリール２の回転規制および回転規制の解除を行う板状の本体部４１を有するリールブレーキ４とを備え、本体部４１は、その先端部５０が磁気テープＴの幅方向の端部に対向するように引き出し口３ａ側に向けて突出形成されたリブ４１ｂを備えて構成され、リブ４１ｂは、磁気テープＴ側の一面と先端部５０における引き出し口３ａ側の側面とを曲面で繋げた形状に形成されている。【選択図】図６
2006338757.tif 000002
【特許請求の範囲】
【請求項１】
磁気テープを巻回するテープリールを回転可能に収容すると共に当該磁気テープの引き出し口がその前面側に形成されたケース本体と、前記磁気テープよりも前記ケース本体の天面側において前記テープリールに対して接離する方向に沿ってスライドさせられることによって当該テープリールの回転規制および当該回転規制の解除を行う板状の本体部を有するリールブレーキとを備え、
前記本体部は、その先端部が前記磁気テープの幅方向の端部に対向するように前記引き出し口側に向けて突出形成されたリブを備えて構成され、
前記リブは、前記磁気テープ側の一面と前記先端部における前記引き出し口側の側面とを曲面で繋げた形状に形成されている情報記録媒体。
【請求項２】
磁気テープを巻回するテープリールを回転可能に収容すると共に当該磁気テープの引き出し口がその前面側に形成されたケース本体と、前記磁気テープよりも前記ケース本体の天面側において前記テープリールに対して接離する方向に沿ってスライドさせられることによって当該テープリールの回転規制および当該回転規制の解除を行う板状の本体部を有するリールブレーキとを備え、
前記本体部は、前記磁気テープの幅方向の端部に対向する対向部位における当該磁気テープ側の一面と当該対向部位における前記引き出し口側の側面とを曲面で繋げた形状に形成されている情報記録媒体。
【請求項３】
磁気テープを巻回するテープリールを回転可能に収容すると共に当該磁気テープの引き出し口がその前面側に形成されたケース本体と、前記磁気テープよりも前記ケース本体の天面側において前記テープリールに対して接離する方向に沿ってスライドさせられることによって当該テープリールの回転規制および当該回転規制の解除を行うと共にその先端部が当該磁気テープの幅方向の端部に対向するように前記引き出し口側に向けて突出するリブが形成された板状の本体部を有するリールブレーキとを備えた情報記録媒体における当該リールブレーキを成形可能な成形面が形成された複数の金型部品を備えて構成され、
前記リブにおける前記磁気テープ側の一面を成形する前記成形面と当該リブの前記先端部における前記引き出し口側の側面を成形する前記成形面とが前記複数の金型部品のうちの一つの金型部品に形成されている成形用金型。
【請求項４】
磁気テープを巻回するテープリールを回転可能に収容すると共に当該磁気テープの引き出し口がその前面側に形成されたケース本体と、前記磁気テープよりも前記ケース本体の天面側において前記テープリールに対して接離する方向に沿ってスライドさせられることによって当該テープリールの回転規制および当該回転規制の解除を行う板状の本体部を有するリールブレーキとを備えた情報記録媒体における当該リールブレーキを成形可能な成形面が形成された複数の金型部品を備えて構成され、
前記磁気テープの幅方向の端部に対向する前記本体部の対向部位における当該磁気テープ側の一面を成形する前記成形面と当該対向部位における前記引き出し口側の側面を成形する前記成形面とが前記複数の金型部品のうちの一つの金型部品に形成されている成形用金型。
【発明の詳細な説明】
【技術分野】
【０００１】
本発明は、磁気テープを巻回するテープリールとテープリールの回転を規制するリールブレーキとを備えた情報記録媒体、およびそのリールブレーキを成形可能に構成された成形用金型に関するものである。
【背景技術】
【０００２】
この種の情報記録媒体として、特開２０００−１３７９７１号公報に開示されたテープカートリッジが知られている。このテープカートリッジは、磁気テープを巻装した一対のリールと、上ハーフおよび下ハーフで構成されて両リールを回転可能に収容するシェルと、シェルの前端面側に回動可能に取り付けられてシェルにおけるテープ引出用のポケット部を開閉するリッド（フロントカバー）と、ポケット部の底部を開閉するスライドシャッターと、リッドの開閉動作に連動してリールロック方向およびロック解除方向（リールに対して接離する方向）にスライドさせられることによって両リールのロックおよびロック解除を行うリールロック部材とを備えている。また、このテープカートリッジでは、アッパーシートおよびロアシート（以下、区別しないときには「シート」ともいう）が両リールを挟むようにして配置されており、この両シートにより、リールの回転トルクを安定化させたり、リールへの磁気テープの巻き姿勢を整えたりすることが可能となっている。
【特許文献１】特開２０００−１３７９７１号公報（第３−５頁、第１図）
【発明の開示】
【発明が解決しようとする課題】
【０００３】
ところが、上記のテープカートリッジには、以下の問題点がある。すなわち、このテープカートリッジでは、リールに対して接離する方向にリールロック部材がスライドさせられることで、両リールのロックおよびロック解除が行われる。この場合、この種のテープカートリッジでは、両リールを挟むシートがポケット部よりも内側に配設されているため、リールロック部材がリールから離間した状態では、リールロック部材の本体部がシートよりもポケット部側に突出する。一方、この種のリールロック部材は、一般的に、本体部が板状に構成されており、磁気テープ側の裏面とポケット部側の側面とが直角をなすようにして形成されている。このため、例えば、リールに巻き取られる際に磁気テープがその幅方向に蛇行して本体部における裏面と側面とによって形成される角部に磁気テープが接触したときには、磁気テープが傷付けられるおそれがあるという問題点が存在する。また、磁気テープの蛇行が大きいときには、シートだけで磁気テープを整然とリールに巻き付けるのが困難であるという問題点も存在する。
【０００４】
本発明は、かかる問題点に鑑みてなされたものであり、磁気テープに対する傷付きを防止し得る情報記録媒体、およびその情報記録媒体におけるリールブレーキを成形可能な成形用金型を提供することを主目的とする。また、磁気テープをテープリールに整然と巻き付け得る情報記録媒体、およびその情報記録媒体におけるリールブレーキを成形可能な成形用金型を提供することを他の主目的とする。
【課題を解決するための手段】
【０００５】
上記目的を達成すべく本発明に係る情報記録媒体は、磁気テープを巻回するテープリールを回転可能に収容すると共に当該磁気テープの引き出し口がその前面側に形成されたケース本体と、前記磁気テープよりも前記ケース本体の天面側において前記テープリールに対して接離する方向に沿ってスライドさせられることによって当該テープリールの回転規制および当該回転規制の解除を行う板状の本体部を有するリールブレーキとを備え、前記本体部は、その先端部が前記磁気テープの幅方向の端部に対向するように前記引き出し口側に向けて突出形成されたリブを備えて構成され、前記リブは、前記磁気テープ側の一面と前記先端部における前記引き出し口側の側面とを曲面で繋げた形状に形成されている。
【０００６】
また、本発明に係る情報記録媒体は、磁気テープを巻回するテープリールを回転可能に収容すると共に当該磁気テープの引き出し口がその前面側に形成されたケース本体と、前記磁気テープよりも前記ケース本体の天面側において前記テープリールに対して接離する方向に沿ってスライドさせられることによって当該テープリールの回転規制および当該回転規制の解除を行う板状の本体部を有するリールブレーキとを備え、前記本体部は、前記磁気テープの幅方向の端部に対向する対向部位における当該磁気テープ側の一面と当該対向部位における前記引き出し口側の側面とを曲面で繋げた形状に形成されている。
【０００７】
また、本発明に係る成形用金型は、磁気テープを巻回するテープリールを回転可能に収容すると共に当該磁気テープの引き出し口がその前面側に形成されたケース本体と、前記磁気テープよりも前記ケース本体の天面側において前記テープリールに対して接離する方向に沿ってスライドさせられることによって当該テープリールの回転規制および当該回転規制の解除を行うと共にその先端部が当該磁気テープの幅方向の端部に対向するように前記引き出し口側に向けて突出するリブが形成された板状の本体部を有するリールブレーキとを備えた情報記録媒体における当該リールブレーキを成形可能な成形面が形成された複数の金型部品を備えて構成され、前記リブにおける前記磁気テープ側の一面を成形する前記成形面と当該リブの前記先端部における前記引き出し口側の側面を成形する前記成形面とが前記複数の金型部品のうちの一つの金型部品に形成されている。
【０００８】
また、本発明に係る成形用金型は、磁気テープを巻回するテープリールを回転可能に収容すると共に当該磁気テープの引き出し口がその前面側に形成されたケース本体と、前記磁気テープよりも前記ケース本体の天面側において前記テープリールに対して接離する方向に沿ってスライドさせられることによって当該テープリールの回転規制および当該回転規制の解除を行う板状の本体部を有するリールブレーキとを備えた情報記録媒体における当該リールブレーキを成形可能な成形面が形成された複数の金型部品を備えて構成され、前記磁気テープの幅方向の端部に対向する前記本体部の対向部位における当該磁気テープ側の一面を成形する前記成形面と当該対向部位における前記引き出し口側の側面を成形する前記成形面とが前記複数の金型部品のうちの一つの金型部品に形成されている。
【発明の効果】
【０００９】
本発明に係る情報記録媒体によれば、その先端部が磁気テープの幅方向の端部に対向するように引き出し口側に向けて突出形成されたリブを備えてリールブレーキの本体部を構成したことにより、例えば、テープリールによって巻き取られる磁気テープがその幅方向に蛇行しつつ走行したとしても、磁気テープの端部がリブにおける磁気テープ側の一面に当接して幅方向への移動を規制することができる。このため、磁気テープをテープリールに整然と巻き取らせることができる。また、磁気テープ側の一面と先端部における引き出し口側の側面とを曲面で繋げた形状にリブを形成したことにより、磁気テープがその幅方向に蛇行しつつ走行して磁気テープがリブに当接したとしても、当接部位が曲面のため、リブによって磁気テープが傷付けられる事態を確実に防止することができる。
【００１０】
また、本発明に係る情報記録媒体によれば、磁気テープの幅方向の端部に対向する対向部位における磁気テープ側の一面とその対向部位における引き出し口側の側面とを曲面で繋げた形状に本体部を形成したことにより、磁気テープがその幅方向に蛇行しつつ走行して磁気テープが本体部に当接したとしても、一面と側面とが直角をなすように形成されたリールブレーキとは異なり、本体部によって磁気テープが傷付けられる事態を確実に防止することができる。
【００１１】
また、本発明に係る成形用金型によれば、リブにおける磁気テープ側の一面を成形する成形面とリブの先端部における引き出し口側の側面を成形する成形面とを一つの金型部品に形成したことにより、両成形面を別個の金型部品に形成する構成とは異なり、段差や継ぎ目のない状態で両成形面を曲面で繋げることができる。したがって、両成形面を繋げた単一の成形面でリブを成形することで、段差やバリを生じさせることなく各面が滑らかに連続した状態でリブを成形することができる。
【００１２】
また、本発明に係る成形用金型によれば、磁気テープの端部に対向する対向部位における磁気テープ側の一面を成形する成形面とその対向部位における引き出し口側の側面を成形する成形面とを一つの金型部品に形成したことにより、両成形面を別個の金型部品に形成する構成とは異なり、段差や継ぎ目のない状態で両成形面を曲面で繋げることができる。したがって、両成形面を繋げた単一の成形面で本体部の一面および側面を成形することで、段差やバリを生じさせることなく各面が滑らかに連続した状態で本体部を成形することができる。
【発明を実施するための最良の形態】
【００１３】
以下、本発明に係る情報記録媒体および成形用金型の最良の形態について、添付図面を参照して説明する。
【００１４】
最初に、情報記録媒体１の構成について、図面を参照して説明する。
【００１５】
図１に示す情報記録媒体１は、例えば、電子計算機に記録されたデータをバックアップするためのストレージデバイスとして用いられる２リールタイプのカートリッジ式の情報記録媒体であって、同図に示すように、磁気テープＴが巻回されたテープリール２，２、ケース本体３、リールブレーキ４、シート５，５、スライド部６およびフロントカバー７を備えて構成されている。  
【００１６】
テープリール２は、図１，２に示すように、磁気テープＴを巻回可能に構成されて、ケース本体３の内部に収容されている。この場合、テープリール２の一端部（図１における上端部）には、リールブレーキ４の突起部４１ａが係合することによって回転が規制される歯部２ａが形成されている。
【００１７】
ケース本体３は、図１に示すように、互いに嵌合可能な下ケース１１および上ケース１２を備えて構成されて、両ケース１１，１２の嵌合状態において形成される内部空間にテープリール２，２を回転可能に収容する。下ケース１１は、図３に示すように、底板２１および側壁２２ａ〜２２ｆを備えて、全体として、浅皿状に形成されている。底板２１は、情報記録媒体１をドライブ装置に挿入する際の前面側（同図における下側）の中央部に切り欠き部２１ａが形成されて構成されている。この場合、この切り欠き部２１ａおよび後述する上ケース１２の開口部１２ａによって磁気テープＴを引き出すための引き出し口３ａ（図１１参照）が構成される。また、底板２１には、ドライブ装置の駆動軸を挿通させるための円形の挿通孔２１ｂ，２１ｂが形成されている。また、底板２１の切り欠き部２１ａ側には、スライド部６をスライド不可状態にロックするためのアーム状のロック部２１ｃ，２１ｃが形成されている。側壁２２ａ〜２２ｆは、底板２１の縁部にそれぞれ立設されている。
【００１８】
上ケース１２は、図４に示すように、天板３１、側壁３２ａ〜３２ｅを備えて、ドライブ装置に挿入する際の前面側（同図では下側）に開口部１２ａを有する浅皿状に形成されている。天板３１は、全体として矩形に形成されている。また、天板３１の中央部には、矩形の天窓３１ａが形成され、この天窓３１ａには、透明な（またはほぼ透明な）カバー３３が取り付けられている。側壁３２ａ〜３２ｅは、天板３１の縁部にそれぞれ立設されている。
【００１９】
リールブレーキ４は、図５に示すように、本体部４１および腕部４２，４２を備えて構成されている。本体部４１は、板状に形成されると共に、図１１，１２に示すように、磁気テープＴよりも上ケース１２の天板３１側（天面側）においてテープリール２，２に対して接離する方向に沿ってスライド可能にケース本体３の内部に配設されている。また、本体部４１は、図１に示すブレーキスプリング８ａによってテープリール２，２に近接する向きに付勢されている。また、本体部４１は、図５に示すように、２つの突起部４１ａ，４１ａを備えている。この場合、本体部４１は、図２に示すように、テープリール２，２に近接したときに、突起部４１ａ，４１ａがテープリール２，２の歯部２ａにそれぞれ係合することにより、テープリール２，２の回転を規制する。また、本体部４１は、テープリール２，２から離間したときに、テープリール２，２の歯部２ａに対する突起部４１ａ，４１ａの係合が解除されることにより、テープリール２，２の回転規制を解除する。
【００２０】
さらに、本体部４１は、図５に示すように、一体形成された２つのリブ４１ｂ，４１ｂを備えている。この場合、リブ４１ｂ，４１ｂは、図１２に示すように、本体部４１がテープリール２から離間している状態において、その先端部５０が磁気テープＴにおける幅方向の端部Ｔｅに対向するように、ケース本体３の引き出し口３ａ側に向けて突出形成されている。また、リブ４１ｂは、図８に示すように、本体部４１よりもやや厚い０．８ｍｍ〜１．０ｍｍ程度の厚みを有する板状に形成されている。また、リブ４１ｂは、裏面５１（本発明における磁気テープ側の一面）と先端部５０における引き出し口３ａ側の側面５２とを引き出し口３ａ側に突出する曲面５３で繋げると共に、裏面５１と本体部４１の裏面５４とを曲面５５で繋げた形状に形成されている。この場合、曲面５３，５５の曲率半径は、一例として、リブ４１ｂの厚みの１／４〜１／２程度（０．２ｍｍ〜０．５ｍｍ程度）に規定されている。ここで、リブ４１ｂ，４１ｂは、図１２に示すように、本体部４１がテープリール２から離間している状態において、テープリール２に巻き取られてケース本体３内を走行している磁気テープＴにおける端部Ｔｅの極く近傍（端部Ｔｅを臨む位置）に位置して磁気テープＴの幅方向への移動を防止することにより、磁気テープＴをテープリール２に整然と巻き取らせる機能を有している。
【００２１】
腕部４２，４２は、図５に示すように、本体部４１の両端部にそれぞれ突出形成されている。この場合、腕部４２，４２は、図１１，１２に示すように、フロントカバー７が回動する際に、その先端部に形成されている突起部４２ａがフロントカバー７の突起部７２ｂ，７２ｃに係合して、フロントカバー７の回動に伴って移動することにより、テープリール２，２に対して接離する方向に沿って本体部４１をスライドさせる。
【００２２】
シート５，５は、例えば、樹脂材料によって成形されたシートであって、図１に示すように、下ケース１１とテープリール２との間、およびテープリール２と上ケース１２との間にそれぞれ配設されている。このシート５は、テープリール２を円滑に回転動作させると共に、磁気テープＴの幅方向への移動を防止することによって磁気テープＴをテープリール２に整然と巻き取らせる機能を有している。
【００２３】
スライド部６は、図９に示すように、本体部６１および側壁６２，６２を備えて構成されている。本体部６１は、矩形の板状に形成されている。また、本体部６１には、ドライブ装置の駆動軸を挿通させるための円形の挿通孔６１ａ，６１ａが形成されている。側壁６２，６２は、本体部６１の両端部にそれぞれ立設されている。この場合、スライド部６は、図１１，１２に示すように、下ケース１１にスライド可能に嵌め合わされて、図１に示すスライドスプリング８ｂによって下ケース１１の切り欠き部２１ａ側に向けて付勢されている。
【００２４】
フロントカバー７は、図１０に示すように、本体部７１、および本体部７１の両端部に形成された支持部７２，７２を備えて構成されている。また、支持部７２，７２には、回転軸７２ａおよび突起部７２ｂ，７２ｃがそれぞれ形成されている。この場合、フロントカバー７は、図１１，１２に示すように、上ケース１２の側壁３２ｄ，３２ｅにおける開口部１２ａの近傍に形成された保持部（図示せず）に支持部７２の回転軸７２ａが嵌め合わされることにより、保持部によって回動可能に保持されている。また、フロントカバー７は、ドライブ装置によって回動させられることにより、本体部７１によって開口部１２ａを開閉する。さらに、フロントカバー７は、回動させられる際に、支持部７２の突起部７２ｂ，７２ｃがリールブレーキ４における腕部４２の突起部４２ａに係合して腕部４２を移動させることにより、リールブレーキ４の本体部４１をテープリール２，２に対して接離する方向に沿ってスライドさせる。
【００２５】
次に、成形用金型１０１の構成について、図面を参照して説明する。
【００２６】
図１３に示す成形用金型１０１は、本発明に係る成形用金型の一例であって、上金型（固定側金型）２０１および下金型（移動側金型）３０１を備え、上金型２０１および下金型３０１によって形成されるキャビティ内に図外の射出成形機によって樹脂が射出されることにより、上記した情報記録媒体１におけるリールブレーキ４を成形可能に構成されている。上金型２０１は、同図に示すように、ベース部２０２および本体部２０３を備えている。ベース部２０２は、板状に形成されて、射出成形機における例えば固定側取付部に取り付け可能に構成されている。本体部２０３は、複数の金型部品（入れ子）を組み合わせることによって構成されて、ベース部２０２に固定されている。この場合、本体部２０３を構成する各金型部品の成形面により、リールブレーキ４を成形するキャビティのうちの本体部４１およびリブ４１ｂの上面側を成形する部分が構成される。
【００２７】
下金型３０１は、図１３に示すように、ベース部３０２、本体部３０３、スペーサブロック３０４，３０４、イジェクトプレート３０５およびイジェクトピン（図示せず）を備えている。ベース部３０２は、板状に形成されて射出成形機における例えば移動側取付部に取り付け可能に構成されている。本体部３０３は、複数の金型部品を組み合わせることによって構成されて、スペーサブロック３０４，３０４を介してベース部３０２に固定されている。この場合、本体部３０３を構成する各金型部品の成形面により、リールブレーキ４を成形するキャビティのうちの本体部４１およびリブ４１ｂ，４１ｂの裏面側の部分、並びに腕部４２を成形する部分が構成される。ここで、リブ４１ｂの側面５２、裏面５１、曲面５３および曲面５５、並びに本体部４１の裏面５４は、複数の金型部品のうちの例えば図１３に示す金型部品３１１に形成された連続した単一の成形面３１２（図１４参照）によって成形される。つまり、リブ４１ｂの側面５２、裏面５１、曲面５３および曲面５５、並びに本体部４１の裏面５４を成形する成形面３１２は、図１４に示すように、一つの金型部品３１１に形成されている。このため、複数の金型部品の成形面でリブ４１ｂの側面５２、裏面５１、曲面５３および曲面５５、並びに本体部４１の裏面５４を成形する構成とは異なり、段差やバリが生じることなく各面５２，５１，５３，５５，５４が滑らかに連続した状態で成形される。イジェクトプレート３０５は、ベース部３０２と本体部３０３との間に配設されて、射出成形機によってベース部３０２と本体部３０３との間を移動させられることにより、イジェクトピンを本体部３０３よりも前方に突き出させる。
【００２８】
次に、成形用金型１０１を用いて情報記録媒体１のリールブレーキ４を成形する成形方法について説明する。
【００２９】
まず、上金型２０１と下金型３０１とを、各々の当接面が互いに対向するようにして射出成形機の固定側取付部および移動側取付部（いずれも図示せず）にそれぞれ取り付ける。次いで、射出成形機を駆動することにより、下金型３０１を上金型２０１に向けて前進させて各々の当接面を互いに当接させる。この際に、上金型２０１の成形面と下金型３０１の成形面とによってリールブレーキ４を成形するためのキャビティが形成される。
【００３０】
次いで、射出成形機が上金型２０１の注入口（図示せず）から溶融樹脂を注入することにより、キャビティ内に溶融樹脂を充填させる。続いて、溶融樹脂が固化した後に、射出成形機が下金型３０１を後退させて上金型２０１から離間させる。この際に、固化した溶融樹脂（成形品）が、下金型３０１に嵌った状態で下金型３０１の後退に伴って上金型２０１から引き抜かれる。次に、射出成形機が下金型３０１のイジェクトプレート３０５を前進させる。この際に、イジェクトプレート３０５に取り付けられているイジェクトピンが、成形品を下金型３０１の後部から前方に押し出す。これにより、リールブレーキ４が成形される。この場合、この成形用金型１０１では、上記したように、リールブレーキ４におけるリブ４１ｂの側面５２、裏面５１、曲面５３および曲面５５、並びに本体部４１の裏面５４が、１つの金型部品３１１に形成された連続した単一の成形面３１２によって成形される。このため、段差やバリが生じることなく各面５２，５１，５３，５５，５４が滑らかに連続した状態でリブ４１ｂが成形される。
【００３１】
次に、成形用金型１０１を用いて製造したリールブレーキ４を備えた情報記録媒体１の記録再生時における動作について、図面を参照して説明する。
【００３２】
この情報記録媒体１が図外のドライブ装置から取り出されている状態、つまり非使用時においては、図２，１１に示すように、リールブレーキ４の本体部４１が、ブレーキスプリング８ａ（図１参照）の付勢力によってテープリール２，２に近接している。このため、本体部４１の突起部４１ａ，４１ａがテープリール２，２の歯部２ａにそれぞれ係合して、テープリール２，２の回転が規制されている。また、図１１に示すように、フロントカバー７が、ケース本体３における上ケース１２の開口部１２ａを閉塞している。また、スライド部６が、下ケース１１における底板２１の切り欠き部２１ａ側の位置Ｐ１に位置して、底板２１の挿通孔２１ｂ，２１ｂおよび切り欠き部２１ａを閉塞している。
【００３３】
一方、情報記録媒体１がドライブ装置の挿入口から装填部に向けて挿入されたときには、装填部が情報記録媒体１を内部に引き込む。この際に、挿入口の近傍に取り付けられた当接部（図示せず）にスライド部６の底面が当接した状態で情報記録媒体１が引き込まれる。このため、図１２に示すように、スライド部６が、スライドスプリング８ｂ（図１参照）による付勢力に抗して下ケース１１の側壁２２ａ側にスライドさせられて、位置Ｐ２に位置する。この状態では、スライド部６の挿通孔６１ａと下ケース１１の挿通孔２１ｂとが連通すると共に、下ケース１１における底板２１の切り欠き部２１ａが開口される。次に、装填部が、ドライブ装置内の駆動軸の先端部に向けて情報記録媒体１を移動させる。この際に、駆動軸が挿通孔６１ａ，２１ａを通ってテープリール２の中心部に挿入される。
【００３４】
次に、ドライブ装置が、図１２に示すように、フロントカバー７を回動させることにより、上ケース１２の開口部１２ａが開口される。この際に、同図に示すように、フロントカバー７における支持部７２の突起部７２ｂが、リールブレーキ４の腕部４２における先端部の突起部４２ａに係合して、腕部４２を開口部１２ａ側に移動させる。これに伴い、リールブレーキ４の本体部４１が、ブレーキスプリング８ａ（図１参照）による付勢力に抗してテープリール２，２から離間する方向に沿ってスライドさせられる。このため、テープリール２，２の歯部２ａと本体部４１の突起部４１ａ，４１ａとの係合が解除されて、テープリール２，２の回転の規制が解除される。また、本体部４１がテープリール２，２から離間する方向に沿ってスライドさせられることにより、図６〜図８に示すように、リブ４１ｂが、シート５よりも引き出し口３ａ側に突出して磁気テープＴにおける端部Ｔｅの極く近傍（端部Ｔｅを臨む位置）に位置する。
【００３５】
次いで、ドライブ装置が磁気テープＴを磁気ヘッドに当接させると共に、テープリール２，２を回転させて、データの読み出しや書き込みを開始する。この際に、図６に示すように、一方（同図における左側）のテープリール２に巻回されている磁気テープＴが、他方（同図における右側）のテープリール２に巻き取られる。この場合、リブ４１ｂが磁気テープＴにおける端部Ｔｅの極く近傍に位置しているため、例えば、テープリール２によって巻き取られる磁気テープＴがその幅方向（ケース本体３の厚み方向）に蛇行しつつ走行したとしても、図８に示すように、磁気テープＴにおける幅方向の端部Ｔｅがリブ４１ｂの裏面５１に当接して幅方向への移動が規制される。このため、磁気テープＴがテープリール２に整然と巻き取られる。また、側面５２と裏面５１とを曲面５３で繋げた形状にリブ４１ｂが形成されているため、磁気テープＴがリブ４１ｂに当接したとしても、当接部位が曲面５３のため、リブ４１ｂによって磁気テープＴが傷付けられる事態が確実に防止される。
【００３６】
次いで、図７に示すように、一方のテープリール２に巻回されていた磁気テープＴがテープエンドとなったときには、ドライブ装置のテープエンド検出部がテープエンドを検出し、これに応じて、ドライブ装置がデータの読み出しや書き込みを終了すると共に、テープリール２，２の回転を停止させる。次に、ドライブ装置は、磁気テープＴから磁気ヘッドを離間させる。次いで、装填部は、駆動軸の先端部から情報記録媒体１を離間させる。続いて、ドライブ装置が、図１１に示すように、上記とは逆の方向にフロントカバー７を回動させることにより、同図に示すように、上ケース１２の開口部１２ａが閉塞される。この際に、同図に示すように、フロントカバー７における支持部７２の突起部７２ｃが、リールブレーキ４の腕部４２における先端部の突起部４２ａに係合して、腕部４２をテープリール２側に移動させる。これに伴い、リールブレーキ４の本体部４１が、テープリール２，２に近接する方向に沿ってスライドさせられる。このため、テープリール２，２の歯部２ａと本体部４１の突起部４１ａ，４１ａとが係合して、テープリール２，２の回転が規制される。次に、装填部が、挿入口の外側に向けて情報記録媒体１を押し出す。この際に、同図に示すように、スライド部６が、位置Ｐ１側にスライドさせられて、下ケース１１における底板２１の切り欠き部２１ａおよび挿通孔２１ｂ，２１ｂが閉塞される。これにより、情報記録媒体１がドライブ装置の挿入口から取り出し可能な状態となる。
【００３７】
このように、この情報記録媒体１によれば、テープリール２から離間している状態においてその先端部５０が磁気テープＴの端部Ｔｅに対向するように引き出し口３ａ側に向けて突出形成されたリブ４１ｂ，４１ｂを備えてリールブレーキ４の本体部４１を構成したことにより、例えば、テープリール２によって巻き取られる磁気テープＴがその幅方向（ケース本体３の厚み方向）に蛇行しつつ走行したとしても、磁気テープＴにおける幅方向の端部Ｔｅがリブ４１ｂの裏面５１に当接して幅方向への移動を規制することができる。したがって、磁気テープＴをテープリール２に整然と巻き取らせることができる。また、裏面５１と側面５２とを引き出し口３ａ側に突出する曲面５３で繋げた形状にリブ４１ｂを形成したことにより、磁気テープＴがその幅方向に蛇行しつつ走行して磁気テープＴがリブ４１ｂに当接したとしても、当接部位が曲面５３のため、リブ４１ｂによって磁気テープＴが傷付けられる事態を確実に防止することができる。
【００３８】
また、この成形用金型１０１によれば、リブ４１ｂの裏面５１を成形する成形面とリブ４１ｂの側面５２を成形する成形面とを一つの金型部品３１１に形成したことにより、両成形面を別個の金型部品に形成する構成とは異なり、段差や継ぎ目のない状態で両成形面を曲面で繋げることができる。したがって、両成形面を繋げた単一の成形面３１２でリブ４１ｂを成形することで、段差やバリを生じさせることなく各面５２，５１，５３が滑らかに連続した状態でリブ４１ｂを成形することができる。
【００３９】
なお、本発明は、上記の構成に限定されない。例えば、リブ４１ｂを本体部４１に形成したリールブレーキ４を例に挙げて上記したが、図１５に示すように、リブ４１ｂが形成されていない本体部４４１を備えたリールブレーキ４０４を採用することもできる。この場合、本体部４４１は、図１６に示すように、テープリール２から離間している状態において磁気テープＴの端部Ｔｅに対向する対向部位における裏面４５１（本発明における磁気テープ側の一面）とその部位における引き出し口３ａ側の側面４５２とを引き出し口３ａ側に突出する曲面４５３で繋げた形状に形成されている。したがって、このリールブレーキ４０４を備えた情報記録媒体１においても、磁気テープＴがその幅方向に蛇行しつつ走行して磁気テープＴが本体部４４１に当接したとしても、裏面と側面とが直角をなすように形成されたリールブレーキとは異なり、本体部４４１によって磁気テープＴが傷付けられる事態を確実に防止することができる。
【００４０】
この場合、このリールブレーキ４０４を形成する成形用金型において、図１７に示すように、本体部４４１の裏面４５１、側面４５２および曲面４５３を成形する連続した単一の成形面５１２を、成形用金型を構成する各金型部品のうちの一つの金型部品５１１に形成することができる。この成形用金型によれば、本体部４４１の裏面４５１を成形する成形面と本体部４４１の側面４５２を成形する成形面とを一つの金型部品５１１に形成したことにより、両成形面を別個の金型部品に形成する構成とは異なり、段差や継ぎ目のない状態で両成形面を曲面で繋げることができる。このため、両成形面を繋げた成形面５１２で本体部４４１の裏面４５１、側面４５２および曲面４５３を成形することで、段差やバリを生じさせることなく各面４５２，４５１，４５３が滑らかに連続した状態で本体部４４１を成形することができる。
【００４１】
また、電子計算機に記録されたデータのバックアップに用いられる情報記録媒体１を例に挙げて説明したが、画像データの記録に用いられる情報記録媒体や、音声データの記録に用いられる情報記録媒体等の各種の情報記録媒体に本発明を適用することができる。また、２つのテープリール２を備えた情報記録媒体１を例に挙げて説明したが、単一のテープリールを備えた情報記録媒体に本発明を適用することもできる。
【図面の簡単な説明】
【００４２】
【図１】情報記録媒体１の分解斜視図である。
【図２】情報記録媒体１の平面図である。
【図３】下ケース１１の内面側から見た平面図である。
【図４】上ケース１２の内面側から見た平面図である。
【図５】リールブレーキ４の平面図である。
【図６】磁気テープＴの巻き取りを開始したときの情報記録媒体１を上ケース１２を外した状態で見た平面図である。
【図７】磁気テープＴの巻き取りを終了したときの情報記録媒体１を上ケース１２を外した状態で見た平面図である。
【図８】図７におけるＡ−Ａ線断面図である。
【図９】スライド部６の平面図である。
【図１０】フロントカバー７の平面図である。
【図１１】スライド部６が位置Ｐ１に位置しているときの情報記録媒体１の側面図である。
【図１２】スライド部６が位置Ｐ２に位置しているときの情報記録媒体１の側面図である。
【図１３】成形用金型１０１の斜視図である。
【図１４】金型部品３１１の断面図である。
【図１５】リールブレーキ４０４の平面図である。
【図１６】リールブレーキ４０４を情報記録媒体１に取り付けた状態のときに図１５におけるＢ−Ｂ線（図７におけるＡ−Ａ線の位置）で切断したＢ−Ｂ線断面図である。
【図１７】金型部品５１１の断面図である。
【符号の説明】
【００４３】
１  情報記録媒体
２  テープリール
３  ケース本体
３ａ  引き出し口
４，４０４  リールブレーキ
３１  天板
４１，４４１  本体部
４１ｂ  リブ
５０  先端部
５１，４５１  裏面
５２，４５２  側面
５３，４５３  曲面
１０１  成形用金型
３１１，５１１  金型部品
３１２，５１２  成形面
Ｔ  磁気テープ
Ｔｅ  端部
【図１】
2006338757.tif 000003
【図２】
2006338757.tif 000004
【図３】
2006338757.tif 000005
【図４】
2006338757.tif 000006
【図５】
2006338757.tif 000007
【図６】
2006338757.tif 000008
【図７】
2006338757.tif 000009
【図８】
2006338757.tif 000010
【図９】
2006338757.tif 000011
【図１０】
2006338757.tif 000012
【図１１】
2006338757.tif 000013
【図１２】
2006338757.tif 000014
【図１３】
2006338757.tif 000015
【図１４】
2006338757.tif 000016
【図１５】
2006338757.tif 000017
【図１６】
2006338757.tif 000018
【図１７】
2006338757.tif 000019